【手続補正書】
【提出日】平成27年11月28日(2015.11.28)
【手続補正１】
【補正対象書類名】特許請求の範囲
【補正対象項目名】全文
【補正方法】変更
【補正の内容】
【特許請求の範囲】
【請求項１】
記録媒体に画像を形成する為のカートリッジを着脱可能な画像形成装置であって、
前記画像形成装置の装置本体に設けられた開口と、
前記開口を閉じる閉じ位置と前記開口を開放する開放位置とを取り得る本体ドアと、
前記カートリッジを載置するためのトレイであって、前記本体ドアを前記閉じ位置に位置させた際に、前記装置本体の内部において前記カートリッジを画像形成動作可能な位置に位置させる画像形成位置と、前記本体ドアを前記開放位置に位置させた際に、前記装置本体の外部において前記カートリッジを着脱可能にするための着脱位置と、前記着脱位置から前記画像形成位置への移動経路の途中に位置しており、前記本体ドアを前記開放位置から前記閉じ位置へ移動するのに連動して前記画像形成位置へ移動することが可能な移動可能位置と、を取り得るトレイと、
前記トレイを移動可能に支持し、前記本体ドアの移動と連動する支持部材と、
前記本体ドアが前記閉じ位置に位置する際に、前記カートリッジに駆動力を伝達し得る連結位置と、前記本体ドアが前記開放位置に位置する際に、前記カートリッジから離間する第一の離間位置と、を取り得る駆動伝達部材と、
前記本体ドアが前記閉じ位置に位置する際に、前記カートリッジに押圧して前記装置本体に位置決めする当接位置と、前記本体ドアが前記開放位置に位置する際に、前記カートリッジから離間する第二の離間位置と、を取り得る押圧部材と、
前記本体ドアが前記閉じ位置に位置する際に、前記カートリッジの給電接点部に対して給電し得る給電位置と、前記本体ドアが前記開放位置に位置する際に、前記カートリッジの給電接点部から離間する第三の離間位置と、を取り得る給電部材と、を有し、
前記本体ドアが前記開放位置から前記閉じ位置へ移動するのに連動して、前記トレイが前記移動可能位置から前記画像形成位置へ移動する動作、前記駆動伝達部材が前記第一の離間位置から前記連結位置に移動する動作、前記押圧部材が前記第二の離間位置から前記当接位置に移動する動作、前記給電部材が前記第三の離間位置から前記給電位置に移動する動作の順に行われることを特徴とする画像形成装置。
【請求項２】
前記本体ドアが前記閉じ位置から前記開放位置へ移動するのに連動して、前記給電部材が前記給電位置から前記第三の離間位置に移動する動作、前記押圧部材が前記当接位置から前記第二の離間位置に移動する動作、前記駆動伝達部材が前記連結位置から前記第一の離間位置に移動する動作、前記トレイが前記画像形成位置から前記移動可能位置へ移動する動作の順に行われることを特徴とする請求項１に記載の画像形成装置。
【請求項３】
前記カートリッジは潜像が形成される像担持体を有し、前記装置本体は前記像担持体と接触して前記像担持体に形成された現像剤像が転写される転写ユニットを有し、前記トレイの前記画像形成位置は前記像担持体と前記転写ユニットが接触する位置であることを特徴とする請求項１又は２に記載の画像形成装置。
【請求項４】
前記転写ユニットは、前記像担持体に形成された現像剤像が転写され、転写された現像剤像を前記記録媒体に転写するための中間転写体を有することを特徴とする請求項３に記載の画像形成装置。
【請求項５】
前記転写ユニットは、前記像担持体に形成された現像剤像を直接に前記記録媒体に転写させるために前記記録媒体を搬送する記録媒体搬送部材を有することを特徴とする請求項３に記載の画像形成装置。
【請求項６】
前記像担持体は電子写真感光体であることを特徴とする請求項３乃至５のいずれか一項に記載の画像形成装置。
【請求項７】
前記トレイの前記着脱位置と前記移動可能位置との間の移動方向が、前記トレイに載置された前記カートリッジの長手方向と直交する方向であることを特徴とする請求項１乃至６のいずれか一項に記載の画像形成装置。
【請求項８】
前記カートリッジは、前記カートリッジの長手方向において一端側に前記駆動伝達部材から駆動力が伝達される駆動連結部を有し、他端側に前記給電接点部を有し、
前記装置本体は、前記本体ドアが前記閉じ位置に位置する際に、前記駆動伝達部材を前記駆動連結部に対して付勢する付勢手段を有し、
前記駆動伝達部材が前記離間位置から前記連結位置に移動するのに連動して、前記カートリッジを前記駆動連結部が設けられた側から前記給電接点部が設けられた側に前記付勢手段によって移動させることを特徴とする請求項１乃至７のいずれか一項に記載の画像形成装置。
【請求項９】
前記押圧部材が前記カートリッジを押圧する方向が、前記駆動伝達部材の連結方向及び前記給電部材の当接方向と、直交する方向であることを特徴とする請求項１乃至８のいずれか一項に記載の画像形成装置。
【請求項１０】
前記トレイは、前記着脱位置と前記移動可能位置との間の移動方向において、複数の前記カートリッジを並べて載置可能であることを特徴とする請求項１乃至９のいずれか一項に記載の画像形成装置。
【請求項１１】
前記トレイは、前記着脱位置と前記移動可能位置との間において、前記装置本体の設置面に対して水平方向、或いは斜め上方、或いは斜め下方へ直線的に移動可能であることを特徴とする請求項１乃至１０のいずれか一項に記載の画像形成装置。
【請求項１２】
前記トレイは、前記着脱位置において、前記カートリッジを上方に取り出し可能に支持する、及び、前記カートリッジを下方に向かって移動させることによって支持することを特徴とする請求項１乃至１１のいずれか一項に記載の画像形成装置。
【請求項１３】
前記カートリッジは、潜像が形成される像担持体と前記像担持体に形成された潜像を現像剤で現像する現像手段とを備えたプロセスカートリッジであることを特徴とする請求項１乃至１２のいずれか一項に記載の画像形成装置。
【請求項１４】
前記カートリッジは、潜像が形成される像担持体と前記像担持体に形成された潜像を現像剤で現像する現像手段以外の画像形成プロセス手段とを備えた分離型のプロセスカートリッジであることを特徴とする請求項１乃至１３のいずれか一項に記載の画像形成装置。 
【請求項１５】
前記カートリッジは、潜像が形成される像担持体に形成された潜像を現像剤で現像する現像手段と前記潜像を現像するために用いられる現像剤を収納収容している現像剤収納部とを有する現像カートリッジであることを特徴とする請求項１乃至１４のいずれか一項に記載の画像形成装置。
【請求項１６】
前記カートリッジは、潜像が形成される像担持体と前記像担持体に形成された潜像を現像剤で現像する現像手段以外の画像形成プロセス手段とを備えた分離型のプロセスカートリッジ、および、前記像担持体に形成された潜像を現像剤で現像する現像手段と前記潜像を現像するために用いられる現像剤を収納している現像剤収納部とを有する現像カートリッジとの組み合わせであることを特徴とする請求項１乃至１５のいずれか一項に記載の画像形成装置。
【手続補正２】
【補正対象書類名】明細書
【補正対象項目名】００２０
【補正方法】変更
【補正の内容】
【００２０】
上記の目的を達成するための本発明に係る画像形成装置の代表的な構成は、記録媒体に画像を形成する為のカートリッジを着脱可能な画像形成装置であって、前記画像形成装置の装置本体に設けられた開口と、前記開口を閉じる閉じ位置と前記開口を開放する開放位置とを取り得る本体ドアと、前記カートリッジを載置するためのトレイであって、前記本体ドアを前記閉じ位置に位置させた際に、前記装置本体の内部において前記カートリッジを画像形成動作可能な位置に位置させる画像形成位置と、前記本体ドアを前記開放位置に位置させた際に、前記装置本体の外部において前記カートリッジを着脱可能にするための着脱位置と、前記着脱位置から前記画像形成位置への移動経路の途中に位置しており、前記本体ドアを前記開放位置から前記閉じ位置へ移動するのに連動して前記画像形成位置へ移動することが可能な移動可能位置と、を取り得るトレイと、前記トレイを移動可能に支持し、前記本体ドアの移動と連動する支持部材と、前記本体ドアが前記閉じ位置に位置する際に、前記カートリッジに駆動力を伝達し得る連結位置と、前記本体ドアが前記開放位置に位置する際に、前記カートリッジから離間する第一の離間位置と、を取り得る駆動伝達部材と、前記本体ドアが前記閉じ位置に位置する際に、前記カートリッジに押圧して前記装置本体に位置決めする当接位置と、前記本体ドアが前記開放位置に位置する際に、前記カートリッジから離間する第二の離間位置と、を取り得る押圧部材と、前記本体ドアが前記閉じ位置に位置する際に、前記カートリッジの給電接点部に対して給電し得る給電位置と、前記本体ドアが前記開放位置に位置する際に、前記カートリッジの給電接点部から離間する第三の離間位置と、を取り得る給電部材と、を有し、前記本体ドアが前記開放位置から前記閉じ位置へ移動するのに連動して、前記トレイが前記移動可能位置から前記画像形成位置へ移動する動作、前記駆動伝達部材が前記第一の離間位置から前記連結位置に移動する動作、前記押圧部材が前記第二の離間位置から前記当接位置に移動する動作、前記給電部材が前記第三の離間位置から前記給電位置に移動する動作の順に行われることを特徴とする。
【手続補正３】
【補正対象書類名】明細書
【補正対象項目名】００７８
【補正方法】変更
【補正の内容】
【００７８】
上記のカートリッジＰにおいて、カップリング嵌合部５３、５４を具備させた右側面部が駆動側であり、その反対側の電気接点５５を配設してある左側面部が非駆動側である。即ち、カートリッジＰは、トレイ３５に載置された状態において、トレイ３５の着脱位置Ｅと移動可能位置Ｄとの間の移動方向に対してトレイ移動面において直交方向（カートリッジの長手方向）の一端側（右側）に駆動連結部５３、５４を有する。そして、他端側（左側）に給電接点部５５を有している。
【手続補正４】
【補正対象書類名】明細書
【補正対象項目名】０１３９
【補正方法】変更
【補正の内容】
【０１３９】
即ち、本体電気接点ばね７５は、ドア３１が開放位置Ｂに位置する際に、カートリッジＰの電気接点５５から離間する離間位置Ｋ（第三の離間位置）に位置して、本体電気接点ばね７５とカートリッジＰの電気接点５５は電気的に切断された状態になる。
【手続補正５】
【補正対象書類名】明細書
【補正対象項目名】０１７４
【補正方法】変更
【補正の内容】
【０１７４】
即ち、押圧部材４２は、ドア３１が開放位置Ｂに位置する際に、カートリッジＰから離間する離間位置Ｉ（第二の離間位置）に位置する。これにより、ドア３１の開き回動に連動して、各カートリッジＰへの左右の押圧が解除されることになる。
【手続補正６】
【補正対象書類名】明細書
【補正対象項目名】０１８３
【補正方法】変更
【補正の内容】
【０１８３】
これにより、ドラム駆動カップリング解除カム２１２の端面２１２ｆが、ドラム駆動カップリング３９に当接し、カップリング押圧バネ２１１の付勢力に抗して、ドラム駆動カップリング３９をカートリッジ側の駆動入力部５３から離間する方向に移動させる。即ち、ドラム駆動カップリング３９は、ドア３１が開放位置Ｂに位置する際に、カートリッジＰから離間する離間位置Ｇ（第一の離間位置）に位置している。
【手続補正７】
【補正対象書類名】明細書
【補正対象項目名】０２４７
【補正方法】変更
【補正の内容】
【０２４７】
１００・・画像形成装置、１００Ａ・・装置本体、Ｐ（ＰＹ、ＰＭ、ＰＣ、ＰＫ）・・カートリッジ、Ｓ・・記録媒体、３０・・開口、３１・・本体ドア、Ａ・・閉じ位置、Ｂ・・開放位置、３５・・トレイ、Ｃ・・画像形成位置（収納位置）、Ｄ・・移動可能位置、Ｅ・・着脱位置、５３・５４・・カートリッジ側の駆動連結部、３９・４０・・装置本体側の駆動伝達部材、Ｆ・・連結位置、Ｇ・・第一の離間位置、４２・・押圧部材、Ｈ・・当接位置、Ｉ・・第二の離間位置、５５・・カートリッジ側の給電接点部、７５・・装置本体側の給電部材、Ｊ・・給電位置、Ｋ・・第三の離間位置